(57)【特許請求の範囲】
【請求項１】
床面より高く便座より低い位置に設けられ使用者が前記便座に着座した際に足を載せる台座部を有し、便器に着脱自在に設けられるパネル部材と、
前記便器と前記便座の間に着脱自在に設けられ、前記使用者が前記便座に着座した際に前傾姿勢となるように前記便座を傾斜しているスペーサ部材と、を備え、
前記スペーサ部材は内部に貯水タンクを備えた洋式便器用アタッチメント。
【請求項２】
床面より高く便座より低い位置に設けられ使用者が前記便座に着座した際に足を載せる台座部を有し、便器に着脱自在に設けられるパネル部材と、
前記便器と前記便座の間に着脱自在に設けられ、前記使用者が前記便座に着座した際に前傾姿勢となるように前記便座を傾斜しているスペーサ部材と、を備え、
前記パネル部材は前記台座部側に前記使用者のアイポイントに光を照射する照明手段を備えた洋式便器用アタッチメント。
【請求項３】
床面より高く便座より低い位置に設けられ使用者が前記便座に着座した際に足を載せる台座部を有し、便器に着脱自在に設けられるパネル部材と、
前記便器と前記便座の間に着脱自在に設けられ、前記使用者が前記便座に着座した際に前傾姿勢となるように前記便座を傾斜しているスペーサ部材と、を備え、
前記便座と前記スペーサ部材とが一体形成されている洋式便器用アタッチメント。
【請求項４】
前記台座部はヒータ手段を備える、ことを特徴とする請求項１乃至３のいずれか一項に記載の洋式便器用アタッチメント。
【発明の詳細な説明】
【技術分野】
【０００１】
本発明は、使用者が便座に着座した際に使用者の腹圧を増加することができる洋式便器用アタッチメントに関する。
【背景技術】
【０００２】
従来、便器として洋式便器において和式便器のときのような姿勢がとれるように台に足を載せるものがある。また、洋式便器の便座に着座しながら足を載せられる台も開示されている。また、台が洋式便器に一体的に成型されたものも開示されている（例えば、特許文献１・特許文献２参照。）。
【特許文献１】特開２００５−３３０８００号公報
【特許文献２】米国特許第５，８０９，５８３号公報
【発明の開示】
【発明が解決しようとする課題】
【０００３】
しかしながら、従来の便器では、台を用いて和式スタイルで使用する場合、足場が高く不安定な状態なため使用者が腹部に力を入れることが困難である。また、洋式便器の便座に着座しながら台に足を載せる方法では、足元が上にあがり逆に腰が下側に落ち込んだ姿勢となるため、腹部に力を入れることが困難である。また、既存の洋式便器に台を一体的に成型するにはコストがかかり、台を別体にすると限られた空間のトイレ室においては置場に困るという問題がある。
【０００４】
本発明は上記問題点に鑑みてなされたものであり、洋式便器の便座に着座した安定した状態で、腹部に力を入れることが可能であり、既存の洋式便器に適用できる洋式便器用アタッチメントを提供することを目的とする。
【課題を解決するための手段】
【０００５】
上記課題を解決するため、請求項１に記載の発明は、床面より高く便座より低い位置に設けられ使用者が前記便座に着座した際に足を載せる台座部を有し、便器に着脱自在に設けられるパネル部材と、前記便器と前記便座の間に着脱自在に設けられ、前記使用者が前記便座に着座した際に前傾姿勢となるように前記便座を傾斜しているスペーサ部材と、を備え、前記スペーサ部材は内部に貯水タンクを備える構成である。
【０００６】
また、請求項２に記載の発明は、床面より高く便座より低い位置に設けられ使用者が前記便座に着座した際に足を載せる台座部を有し、便器に着脱自在に設けられるパネル部材と、前記便器と前記便座の間に着脱自在に設けられ、前記使用者が前記便座に着座した際に前傾姿勢となるように前記便座を傾斜しているスペーサ部材と、を備え、前記パネル部材は前記台座部側に前記使用者のアイポイントに光を照射する照明手段を備える構成である。
【０００７】
また、請求項３に記載の発明は、床面より高く便座より低い位置に設けられ使用者が前記便座に着座した際に足を載せる台座部を有し、便器に着脱自在に設けられるパネル部材と、 前記便器と前記便座の間に着脱自在に設けられ、前記使用者が前記便座に着座した際に前傾姿勢となるように前記便座を傾斜しているスペーサ部材と、を備え、前記便座と前記スペーサ部材とが一体形成される構成である。
【０００８】
また、請求項４に記載の発明は、前記台座部はヒータ手段を備える構成である。
【発明の効果】
【００１１】
請求項１に記載の発明では、パネル部材には床面より高く便座より低い位置に使用者が便座に着座した際に足を載せる台座部が設けられるため、脚上げ効果が得られる。また、使用者が便座に着座した際に前傾姿勢となるように便座を傾斜するスペーサ部材が設けられるため、腰上げ効果が得られる。この脚上げ効果と腰上げ効果により、使用者の膝と腰の間の腹部角度が小さくなることで腹圧が向上し、腹部に力を入れやすくなる。また、使用者が前傾姿勢で便座に着座すると、従来の着座する姿勢と比較して、人体内部の肛門直腸角がより鈍角（理想的には直線状態の１８０度）となり、スムーズな排便効果が得られる。また、パネル部材とスペーサ部材は、既存の洋式便器に着脱自在に設けられるため、専用の便器を製造する必要がなく、実用上多大な効果を奏する。
【００１２】
また、スペーサ部材は内部に貯水タンクを備える構成のため、洗浄水を貯留するロータンクが不要となり、ロータンクレスのトイレを安価に構成することができる。
【００１４】
また、請求項２に記載の発明では、パネル部材は台座部側に使用者のアイポイントに光を照射する照明手段を備えるため、起床直後の排便時に使用すると、例えば１００ルクス以上では光刺激により覚醒レベルが上昇する。覚醒レベルが上昇すると人体の排便準備が促進され、スムーズな排便効果が得られる。
【００１５】
また、請求項３に記載の発明では、便座とスペーサ部材とが一体化されているので、意匠性が向上する。そればかりではなく、例えば、スペーサ内部を貯湯タンクとして用いれば、便座の暖房を併せて行うことが出来、便座暖房用のヒータを配線する必要がなくなる。
【００１６】
また、請求項４に記載の発明では、台座部はヒータ手段を備えるため、起床直後の排便時に使用すると、足元が温められることにより覚醒レベルが上昇する。覚醒レベルが上昇すると人体の排便準備が促進され、スムーズな排便効果が得られる。また、使用者は前傾姿勢になるため、台座部に載せた足には荷重がかかり、ヒータ手段からの伝熱が促進される。したがって荷重がかからない場合と比較して、短時間で足元が温められ覚醒レベルが上昇し、使用者の排便が促進される。
【発明を実施するための最良の形態】
【００１７】
以下に本発明の実施形態を、図面を参照しつつ詳細に説明する。
【００１８】
（第１実施例）
図１は、本発明の第１実施例である洋式便器用アタッチメント１を備えた便器装置２の構成を示す斜視図で、便器装置２は便器４（図２）と、便器４に着脱自在に設けられたフロントパネル１０（パネル部材）と、便座５と、便器４と便座５の間に着脱自在に設けられるスペーサ２０と、便蓋６と、本体カバー７から構成される。
【００１９】
フロントパネル１０は、床面３より高く便座５より低い位置に台座１２（台座部）が設けられる。本実施例では台座１２の床面３からの高さは５０ｍｍ〜３００ｍｍの間（図３）である。また、台座１２は、内部にヒータ装置１３（ヒータ手段）と、複数の発光ダイオード１４が連なって構成されたフレックスＬＥＤ基板の形態の照明装置１５（照明手段）を備える。ヒータ装置１３と照明装置１５は、図示しない電源コードから電源が供給される。尚、複数の発光ダイオード１４が連なって構成されたフレックスＬＥＤ基板の形態の照明装置１５に代えて、図示はしないが、一個の発光ダイオード１４の表面に、株式会社クラベからエラストマーライトガイドという商品名で市販されている、テープ状の散乱体を貼着して照明装置を構成しても良い。しかして、エラストマーライトガイドはフッ素樹脂チューブ内に特殊エラストマーを充填した構造を有し、柔軟性に富むという性質を有するものであって、発光ダイオードによる点光源表示を全体としてライン表示することが出来る。したがって、エラストマーライトガイドを採用することにより、発光ダイオードの数を減らすことが出来る。
【００２０】
スペーサ２０は、使用者３０（図３）が便座５に着座した際に前傾姿勢となるように本体カバー７側（後側）が台座１２側（前側）より高くなるように傾斜している。本実施例では、スペーサ２０を用いて、従来のスペーサ２０を用いない場合と比較して臀部を２０ｍｍ〜１５０ｍｍ程度高く（図３）している。また、スペーサ２０は、内部に洗浄水を貯留する貯水タンク２１を備え、ロータンクの役割を兼ね備えることもできる。
【００２１】
図２は、本発明の第１実施例である洋式便器用アタッチメント１を備えた便器装置２の組立分解斜視図である。フロントパネル１０は複数の爪１６を備えており、便器４と嵌合して着脱自在に設けられる。便器４の背面にはバックパネル１１が設けられ、フロントパネル１０と嵌合して便器４の背面を覆う。スペーサ２０の内部に設けた貯水タンク２１は、便器４の給水管８と連結して洗浄水が供給される。また、スペーサ２０は取付穴２２を備え、本体カバー７に設けられた図示しないシャフトにより便器４に着脱自在に取り付けられる。
【００２２】
図３は、本発明の第１実施例である洋式便器用アタッチメント１を備えた便器装置２を使用者３０が使用している状態を示す説明図である。使用者３０が台座１２に足を載せると脚上げ効果が得られ、使用者３０が便座５に着座するとスペーサ２０により腰上げ効果が得られる。この状態では使用者３０は前傾姿勢となり、脚上げ効果と腰上げ効果により使用者３０の膝３１と腰３２の間の腹部角度３３が小さくなる。また、使用者３０は前傾姿勢になるため、台座１２に載せた足３９には荷重がかかる。また、使用者３０のアイポイント３５には、照明装置１５から１００ルクス程度の直達光が照射される。
【００２３】
図４は、本発明の第１実施例である洋式便器用アタッチメント１を備えた便器装置２を使用者３０が使用している場合の腹圧と肛門直腸角３８を示す説明図である。使用者３０が前傾姿勢で便座５に着座すると、人体内部の肛門３６と直腸３７の間の肛門直腸角３８は直線状態に近い鈍角（理想的には１８０度）となる。またこのとき腹部３４には腹圧が作用する。
【００２４】
本発明の洋式便器用アタッチメント１を備えた便器装置２では、フロントパネル１０には床面３より高い位置に使用者３０が便座５に着座した際に足を載せる台座１２が設けられるため、脚上げ効果が得られる。また、使用者３０が便座５に着座した際に前傾姿勢となるように便座５を傾斜するスペーサ２０が設けられるため、腰上げ効果が得られる。この脚上げ効果と腰上げ効果により、使用者３０の膝３１と腰３２の間の腹部角度３３が小さくなることで腹部３４の腹圧が高まり、腹部３４に力を入れやすくなる。また、使用者３０が前傾姿勢で便座５に着座すると、人体内部の肛門直腸角３８が直線状態に近い鈍角（理想的には１８０度）となり、スムーズな排便効果が得られる。また、フロントパネル１０とスペーサ２０は、便器４に着脱自在に設けられるため、既存の便器４に安価に設けることができ、また台座１２はフロントパネル１０と一体であるため台座１２の置場の問題を解決できる。
【００２５】
また、スペーサ２０は内部に貯水タンク２１を備えるため、洗浄水を貯留するロータンクが不要となり、ロータンクレスのトイレを安価に構成することができる。
【００２６】
また、台座１２はヒータ装置１３を備えるため、起床直後の排便時に使用すると、足元が温められることにより覚醒レベルが上昇する。覚醒レベルが上昇すると排便準備が促進され、スムーズな排便効果が得られる。また、使用者３０は前傾姿勢になるため、台座１２に載せた足３９には荷重がかかり、ヒータ装置１３からの伝熱が促進される。したがって荷重がかからない場合と比較して、短時間で足元が温められ覚醒レベルが上昇する。
【００２７】
また、フロントパネル１０は台座１２側に使用者３０のアイポイント３５に直達光を照射する照明装置１５を備えるため、起床直後の排便時に使用すると、例えば１００ルクス以上では光刺激により覚醒レベルが上昇する。覚醒レベルが上昇すると人体の排便準備が促進され、スムーズな排便効果が得られる。
【００２８】
（第２実施例）
図５は、本発明の第２実施例である洋式便器用アタッチメント１０１を備えた便器装置１０２の六面図で、（ａ）は正面図、（ｂ）は平面図、（ｃ）は左側面図、（ｄ）は右側面図、（ｅ）は下面図、（ｆ）は背面図である。第１実施例である洋式便器用アタッチメント１を備えた便器装置２との主な違いは、便器１０４に台座１１２とスペーサ１２０を一体で設けたことで、その他の構成については第１実施例と同様である。
【００２９】
第２実施例の洋式便器用アタッチメント１０１を備えた便器装置１０２では、第１実施例の効果の他に、便器１０４に台座１１２とスペーサ１２０を一体で設けたことで意匠性が向上する。更には、スペーサ１２０内部を貯湯タンクとして用いれば、便座１０４の暖房を併せて行うことが出来、便座暖房用のヒータを配線する必要がなくなる
図６は、便座１０５の六面図で、（ｇ）は正面図、（ｈ）は平面図、（ｉ）は左側面図、（ｊ）は右側面図、（ｋ）は下面図、（ｌ）は背面図である。便座５との違いは、使用者３０が着座する座面１０７に複数の大突起１０８と複数の小突起１０９を設けたことである。複数の大突起１０８と複数の小突起１０９により、使用者３０の尻部のツボを刺激して、覚醒レベルと排便効果を向上する。また、使用者３０が前傾姿勢で傾斜した便座１０７に着座しても尻部が滑るのを防止する。
【図面の簡単な説明】
【００３０】
【図１】本発明の第１実施例である洋式便器用アタッチメントを備えた便器装置の構成を示す斜視図である。
【図２】本発明の第１実施例である洋式便器用アタッチメントを備えた便器装置の組立分解斜視図である。
【図３】本発明の第１実施例である洋式便器用アタッチメントを備えた便器装置を使用者が使用している状態を示す説明図である。
【図４】本発明の第１実施例である洋式便器用アタッチメントを備えた便器装置を使用者が使用している場合の腹圧と肛門直腸角を示す説明図である。
【図５】本発明の第２実施例である洋式便器用アタッチメントを備えた便器装置の六面図である。
【図６】本発明の便座の六面図である。
【符号の説明】
【００３１】
１  洋式便器用アタッチメント
３  床面
４  便器
５  便座
１０  フロントパネル（パネル部材）
１２  台座（台座部）
１３  ヒータ装置（ヒータ手段）
１５  照明装置（照明手段）
２０  スペーサ（スペーサ部材）
２１  貯水タンク
３０  使用者
【図１】
0005176498.tif 000002
【図２】
0005176498.tif 000003
【図３】
0005176498.tif 000004
【図４】
0005176498.tif 000005
【図５】
0005176498.tif 000006
【図６】
0005176498.tif 000007